Podtech/llm-jp-corpus-v4-ja_patent huggingface dataset:
(57)【要約】      （修正有）【課題】コードの長さ調整及び収納を行う、携帯性に優れた収納装置を提供する。【解決手段】筒状の外装部にコードを折り返して挿入し、折り返し部に抜け止め部を設け、コードの長さ調整及び収納は折り返し部の位置を移動する。【選択図】図３
0003113611.tif 000002
【実用新案登録請求の範囲】
【請求項１】
折り返したコードを収納する筒状の外装部と該コード折り返し部が外装部から抜けないように配置されたコード抜け止め部からなるコード収納装置
【請求項２】
請求項１に於いて、外装部をらせん状の形状にしたコード収納装置
【請求項３】
請求項１の外装部にクリップ等の係止具を装着したコード収納装置
【請求項４】
請求項１の該コード折り返し部のコード抜け止め部にクリップ等の係止具を装着したコード収納装置
【考案の詳細な説明】
【技術分野】
【０００１】  本考案は、携帯型パソコンの電源コード及び携帯型音楽録再生装置のイヤホンコードなどのコードの長さの調整及び収納に関する物である。
【背景技術】
【０００２】  従来の技術思想では、携帯型パソコンの電源コード及び携帯型音楽録再生装置のイヤホンコードは巻取る方式により長さの調整及び収納が行われていた。
【考案の開示】
【考案が解決しようとする課題】
【０００３】    本考案は巻取らずにコードの長さ調整及び収納を行う、携帯性に優れた収納装置を提供する。
【課題を解決するための手段】
【０００４】  本考案は筒状の外装部にコードを折り返して挿入し、折り返し部に抜け止め部を設け、コードの長さ調整及び収納は折り返し部の位置を移動することで課題を解決する。
【考案の効果】
【０００５】  上記のように本考案のコード収納装置を使用することで、電源コード又イヤホンコードなどの長さを容易に調整することが出来る。イヤホンに装着した場合、複雑な機構の巻き取り装置を用いないため軽量化が可能であり、使用者は好みのイヤホンのコードの長さを自在に調節して使用することが出来る。
本考案の実施によりコードのからみを防止し、余分なコードの処理の問題を解決することが出来る。
【考案を実施するための最良の形態】
【０００６】筒状の外装部はラセン状のプラスチック製のバネなどで形成し、コードはラセンに沿って外装部の内部に通す。コードは外装部の両端で折り返し、折り返し部にコード抜け止め部を配置する。折り返されたコードが外装部両側から外装部を通る。コードの長さは配置されたコード抜け止め部の位置をずらすことで調節される。
【実施例】
【０００７】  以下、添付図面に基づいて実施例を説明する。
図１は本考案のコード収納装置の断面である。コード１はコード収納装置２の内部を通過してコード抜け止め部３の穴部分で折り返され、再度コード収納装置２の内部を通過し対側でコード抜け止め部４の穴部分で再度折り返され、さらにコード収納装置２の内部を通過する。実施例のコード抜け止め部３はラセンリングで形成されており、コードは容易に穴部分を通せる。【０００８】図２はラセン状のバネで製作したコード収納装置５を、イヤホンコードに装着した状態を示す。プラグ６がコード収納装置５の中を通過出来ない場合、ラセンに沿ってコード１をくぐらせながら通過させる。コードの長さ調整はコード抜け止め部３の位置を移動させ、コード１の折り返し部を変えることで可能となる。【０００９】図３は密着させないラセン状のバネで製作したコード収納装置５ａをイヤホンコードに装着し、コードを収納した状態を示す。コードの長さの調整代を大きくとることが出来る。図４は図３のコード収納装置をイヤホンコードに装着し、コードを長く引き出した状態を示す。コード収納装置５ｂはラセン状のバネが密着した状態で、イヤホン側のコードが長く引き出されている。コードの折り返し部にクリップ等の係止具を装着しコード収納装置を衣類などに係止することでさらにコードのたるみを解消できる。
図７はコードの折り返し部両側に係止具を装着した実施例である。
図８はコード収納装置両側に係止具を装着した実施例である。
【図面の簡単な説明】
【００１０】
【図１】コード収納装置の断面である。
【図２】ラセン状のバネで製作したコード収納装置の外観である。
【図３】コードを収納した状態の外観である。
【図４】コードを引き出した状態の外観である。
【図５】コード折り返し部両側に係止具を装着した状態の外観である。
【図６】コード収納装置両側に係止具を装着した状態の外観である。
【符号の説明】
【００１１】１コード
２コード収納装置
３コード抜け止め部
６プラグ
７イヤホン
８係止具
【図１】
0003113611.tif 000003
【図２】
0003113611.tif 000004
【図３】
0003113611.tif 000005
【図４】
0003113611.tif 000006
【図５】
0003113611.tif 000007
【図６】
0003113611.tif 000008
(57)【要約】      （修正有）【課題】自動車のワイパーブレードは従来雨滴の払拭が悪くなってからワイパー全体及びワイパーブレードゴム部を交換していたが、安全、費用面から簡単な研磨作業でワイパーブレード羽先を保守する研磨具を提供する。【解決手段】片手で握れる程度の持ち手の先端に略Ｖ字形溝を形成した複数砥石研磨具を組み込み溝にワイパーブレード羽先を密着させ上下に研磨する事により磨耗、キズ、異音、老化等による劣化を防ぐ。【選択図】図１
0003113612.tif 000002
【実用新案登録請求の範囲】
【請求項１】
目の粗さの異なる複数の研磨面を形成する略Ｖ字形の溝の、該研磨面の荒さの異なる境目にカス排出溝を設けた砥石を持ち手となる台に取り付けて成るワイパーブレード羽先保守研磨具。
【考案の詳細な説明】
【技術分野】
【０００１】    本考案は、ワイパーブレード羽先保守研磨具に関するものである。
【背景技術】
【０００２】従来ワイパーブレードは磨耗、キズ、異音、老化等により雨滴の払拭が悪くなってから交換していた。この場合、ワイパー全体かワイパーブレードゴム部を交換していたが費用、労力も掛かり面倒であった。【０００３】上記問題を解決するための、略Ｖ字形溝を形成した砥石が公知されている。この公知例にあっては、単にＶ字形溝の内側面を研磨面とするものであり、大きな効果を期待できるものではない。【０００４】
【特許文献１】    特開  ２００２−１１６７０号公報
【考案の開示】
【考案が解決しようとする課題】
【０００５】交換時のワイパーブレードは、羽先だけが磨耗、キズ、異音、老化により交換しなければならない問題、また、従来の研磨による再利用で大きな効果の期待できない問題を解決する研磨具を提供することを課題とするものである。
【課題を解決するための手段】
【０００６】本体の当て面を複数の砥石素材で構成し略Ｖ字形の溝の側面に目の粗さの異なる砥石とカス排出溝を設けた事を特長とするワイパーブレード羽先保守研磨具を簡単、安価で提供し問題点を解決している。
【考案の効果】
【０００７】持ち手に略Ｖ字形の溝に複数の粗さの異なる砥石を配置し該研磨面の砥石の境目に目詰防止用カス排出溝を設け簡単にワイパーブレード羽先を保守出来る。
【考案の実施するための最良の形態】
【０００８】持ち手１に砥石２を形成し略Ｖ字形の溝の側面に目の粗さの異なる砥石の境目にカス排出溝を設ける。
【０００９】持ち手１と砥石２をプラスチック、又は木等で一体化し略Ｖ字形の溝の側面に目の粗さの異なる板状砥石を張り合わせても良い。
【実施例】
【００１０】図３に示す様に持ち手１に砥石２にＶ字形溝３カス排出溝４を設けワイパー本体５のワイパーブレード羽先６を密着させ荒い方から細かい方の砥石へ一方向に研磨し磨耗、キズ、異音、老化等を防ぐ。
【図面の簡単な説明】
【００１１】
【図１】実施例における斜視図
【図２】同上ＡＡ’断面図
【図３】実施例の側面図
【符号の説明】
【００１２】  １、持ち手
２、砥石
３、Ｖ字形溝
４、カス排出溝
５、ワイパー本体
６、ワイパーブレード羽先
【図１】
0003113612.tif 000003
【図２】
0003113612.tif 000004
【図３】
0003113612.tif 000005
(57)【要約】保温効果が高く、持ち運び便利な保温容器を提供する。【課題】ボトル側面に保温材を配置した保温容器はすでに存在するが、ボトルと保温材の密着性を維持しにくく、保温効果が十分ではなかった。ボトルの種類によって異なるボトルの外径や保温材の厚みの変化に影響されず、ボトルと保温材の密着性を維持することが可能で、加えてボトルと容器を固定できる安全で持ち運び便利な保温容器が求められた。【解決手段】容器１の内面に結束帯３の一端を内面固定具４で固定し、ボトル本体６の側面に配置した保温材２の外周を結束帯３で引き回し、容器１のスリット８を通して結束帯３の他方先端を容器外部に引き出し外部固定具６で固定する。これにより保温材はボトルの外径に影響されることなくボトル表面に密着する。結束帯３に弾力性のある材質を使用することにより、保温材２の厚みが変化してもボトル本体６と保温材２の密着性は維持することができる。【選択図】図１
0003113613.tif 000002
【実用新案登録請求の範囲】
【請求項１】
容器の内面に結束帯の一端を固定し、容器内に収納したボトルの側面に配置した保温材の表面を結束帯で引き回し、容器のスリットを通して結束帯の他方先端部を容器の外部に引き出し、結束帯先端部を容器外面に固定する構造の保温容器。
【考案の詳細な説明】
【技術分野】
【０００１】本考案は飲料の入ったボトルを保温する容器に関する。
【背景技術】
【０００２】底のある円筒形の容器にボトルを入れ、ボトルの周囲を保温材で囲んだ構造の保温容器は特開２００２−３２１７７３のように既知の技術である。しかし保温材とボトルの密着性が不完全であり、保温効果が十分ではなかった。また容器とボトルが固定していないため携行に不便であった。
【考案の開示】
【考案が解決しようとする課題】
【０００３】ボトルの保温効果を高めるには保温材とボトル表面が常に密着していることが望ましい。保温材に保冷材を使用する場合、円筒形の容器の内部側面に冷凍された保冷材を配置し、保冷材に沿わせてボトルを入れたとき、容器の内径、ボトルの外径さらには保冷材の厚みの差により保冷材とボトル間の間隔が決まるため保冷材とボトルは必ずしも密着しない。また冷凍した保冷材は時間経過とともに保冷材が溶解して厚みが変化する要因もある。本考案は容器の内径、ボトルの外径さらには保冷材の厚みにかかわらず常に保冷材とボトル表面を密着させて保冷効果を高めようとするものである。さらに容器とボトルを固定することにより携行を容易にする。
【問題を解決するための手段】
【０００４】保温材をボトルの側面に密着させるためにボトルに密着して配置した保温材の上部を結束帯で固定して断熱材を使用した容器に収納する。結束帯の一端は容器の内部に固定し、他方の先端は容器の外部に取り出せるように容器にはスリットを設けて結束帯の先端を容器の表面に固定する。結束帯の外部先端を引き寄せることにより保温材はボトル本体表面に密着する。伸縮性のある結束帯を使用することにより保温材の厚みに変化があっても密着性は維持できる。
【考案の効果】
【０００５】ボトルの外径はビン、缶さらにはペットボトルなど多種にわたりさまざまな寸法のものがある。本考案によれば、外径の異なるあらゆるボトルに対して保温材とボトルを密着させて保温効果を高めることが可能となる。さらに容器とボトルが固定できるため安全で持ち運びが容易でありビンのボトルでも安心して携行できる。
【考案を実施するための最良の形態】
【０００６】保温効果を高めるため容器の材質には熱伝導率の小さい断熱特性の優れた素材を使用する。結束帯には一定の幅を持った弾力性を有するものが望ましい。
以下実施例により考案実施の態様を説明する。【０００７】一実施例について図面を参照して説明する。
図１は本考案の上部斜視図を示す。底のある断熱材でできた円筒形容器１の中にボトルキャップ７を有するボトル本体６を配置する。容器１の側面に保温材２を４個並べ保温材２の側面を結束帯３で引き回す。容器１には結束帯３を通すスリット８を設け、結束帯３の外部先端を外部固定具５に固定する。結束帯３の内部先端は容器１内面に内部固定具４で固定する。結束帯３の外部先端を引き寄せることにより保温材２はボトル本体６の側面に密着する。十分密着した状態で結束帯３の外部先端を外部固定具５に固定する。結束帯３をゴムなどの弾力性のある材質にすることにより保温材２とボトル本体６の密着性はより安定する。スリット８は保温効果を減少させないため極力小さな開口とする。
図２は本考案の側面斜視図を示す。蓋９は保温効果をより高めるために装着する。。
【図面の簡単な説明】
【図１】本実施の形態に係わる底のある円筒形容器に保温材及びボトルを配置した上部斜視図である。
【図２】本実施の形態に係わる側面斜視図を示す。
【符号の説明】
１    容器
２    保温材
３    結束帯
４    内部固定具
５    外部固定具
６    ボトル本体
７    ボトルキャップ
８    スリット
９    蓋
【図１】
0003113613.tif 000003
【図２】
0003113613.tif 000004
(57)【要約】【課題】  ノートパソコンの形を円盤型にして、キーボードのキーボタンの配置を片手でもタイピングしやすくした円盤型ノートパソコンを提供する。【解決手段】  ノートパソコン本体とディスプレイの形を円盤型にして、キーボードのファンクションキーは円周に配列し、テンキーを真ん中に配列して、文字入力キーをテンキーの周りを左から半円を描くように配列し、メニューキーはテンキーの右側に配列して、タッチパット及び左右クリックボタンをテンキーの手前に設けることを特徴とする円盤型ノートパソコン。【選択図】  図１
0003113615.tif 000002
【実用新案登録請求の範囲】
【請求項１】
ノートパソコン本体とディスプレイの形を円盤型にして、キーボードのファンクションキーは円周に配列し、テンキーを真ん中に配列して、文字入力キーをテンキーの周りを左から半円を描くように配列し、メニューキーはテンキーの右側に配列して、タッチパット及び左右クリックボタンをテンキーの手前に設けることを特徴とする円盤型ノートパソコン。
【考案の詳細な説明】
【技術分野】
【０００１】  本考案は、ノートパソコンの形を円盤型にして、キーボードのキーボタンの配置を片手でもタイピングしやすくした円盤型ノートパソコンに関するものである。
【背景技術】
【０００２】  従来、ノートパソコンの形は長方形で、キーボードのキーボタンは両手でタイピングしやすいように配置されたものが多かった。
【考案の開示】
【考案を解決しようとする課題】
【０００３】そのために次のような問題点があった。
ノートパソコンの形が長方形でキーボードも、それに伴い横に長く両手でタイピングしやすくなっている設計であるため、キーボード操作からカーソル操作に切り替えるとき、キーボードから片手が離れて両手で構成していたホームポジションが崩れ、再びキーボード操作に切り替えるときに、ホームポジションを構成しなおさなければならなかったので、操作性が悪かった。
本考案は、以上の問題点を解決するためのものである。
【課題を解決するための手段】
【０００４】  ノートパンコン本体とディスプレイの形を円盤型にして、キーボードのファンクションキーは円周に配列し、テンキーを真ん中に配列する。そして、文字入力キーはテンキーの周りを左から半円を描くように配列する。メニューキーはテンキーの右側に配列し、タッチパット及び左右クリックボタンをテンキーの手前に設けることを特徴とする円盤型ノートパソコンである。
【考案の効果】
【０００５】  キーボードのキーボタンを上記のように配置することにより、片手でもタイピングしやすくなるため、もう一方の手をカーソル操作専用にすることができる。これは、キーボードから手を離さずにカーソル操作を行うことができ、キーボードのホームポジションを崩れにくくなるため、操作性を向上することができる。
【考案を実施するための最良の形態】
【０００６】  以下、本考案の実施の形態を説明する。
（イ）ノートパソコン本体（１）とディスプレイ（２）を円盤型にし、キーボードのキーボタンの配置を下記のように並べていきます。
（ロ）ファンクションキー（３）を円形に配列し、テンキー（４）を真ん中に配列する。
（ハ）文字入力キー（５）をテンキー（４）の周りを左から半円を描くように配列する。
（ニ）メニューキー（６）をテンキー（４）の右側に配列し、タッチパット及び左右クリックボタン（７）をテンキー（４）の手前に設ける。
本案は以上のような構造でこれを使用するときは、文字入力を行う場合、文字入力キー（５）に片手を置く。数字入力を行う場合は、テンキー（４）に片手を置く。ファンクションキー（３）やメニューキー（６）、タッチパット及び左右クリックボタン（７）のキーボタンを使う場合、上記のキーボタンに置いた片手から指を伸ばし、それぞれのキーボタンをタイピングする。
【図面の簡単な説明】
【０００７】
【図１】本考案の斜視図
【図２】本考案のキーボードの拡大図（１）
【図３】本考案のキーボードの拡大図（２）
【図４】本考案のキーボードの拡大図（３）
【符号の説明】
【０００８】  １  ノートパソコン本体
２  ディスプレイ
３  ファンクションキー
４  テンキー
５  文字入力キー
６  メニューキー
７  タッチパット及び左右クリックボタン
【図１】
0003113615.tif 000003
【図２】
0003113615.tif 000004
【図３】
0003113615.tif 000005
【図４】
0003113615.tif 000006
(57)【要約】      （修正有）【課題】従来のカップは主として人が上体を起こした状態で飲料を飲む為に使われていて、高齢者、各種障害者、病床にある人などが横臥状態で飲むためにはこぼれるので使えず不便である。【解決手段】本考案のカップでは側壁にくびれ１とうねり３の凹凸が上下方向にあり、カップを横倒しにして飲む時に内容物である飲料の流出速度、流出量が抑制されてゆっくり少しずつ口中に入り、先端巾を狭めた飲み口２により唇の横からこぼさずに飲むことができる。【選択図】図１
0003113618.tif 000002
【実用新案登録請求の範囲】
【請求項１】
側壁にくびれとうねりとからなる凹凸を上下方向に持ち、飲み口先端の巾を狭めた構造を持つ横臥時飲用カップ。
【考案の詳細な説明】
【技術分野】
【０００１】本考案は、横臥時飲用カップに関する
［背景技術］【０００２】従来のカップは、人の上体が起きた状態で飲用に使う形状に作られている。（図２）
考案の開示
考案が解決しようとする課題【００３】しかし、これでは、横臥状態で飲用に使うと内容物がこぼれてうまく飲めず、高齢者、各種障害者、病床にある人などに不便である。
課題を解決するための手段【０００４】そこで、側壁にくびれとうねりとからなる凹凸を上下方向に持ち、飲み口先端の巾を狭めた構造のカップを考案した。（図１）（図２）
考案の効果【０００５】よって、本考案のカップで飲料を横臥状態で飲む時に、カップ内容物の移動速、移動量及び流出巾が抑制され、唇の横からこぼれず、ゆっくりと少しずつ口中に流入するためにむせにくく、嚥下障害も防止しやすくなる。またカップ側面にくびれがあるため横臥状態でも手が滑りにくく保持しやすい。上体が起きた姿勢で飲む時でも同様の効果がある。
考案を実施するための最良の形態【０００６】本考案に係るカップは、図１に示す様に胴体部分に深さ５ｍｍ以上のくびれ１とうねり３とからなる凹凸を上下方向に２つか２つ以上持ち、上部飲み口２から下方の最初のうねりの凸部ピーク迄の間隔を２５ｍｍ以上取る。飲み口は図２に示す様に先端から内部中心方向に向かって５ｍｍ以内の部分の左右の横巾を２５ｍｍ以下に狭める。このカップの材質は一般的には陶器が良いが使用者に合わせて陶器、磁器、ガラス、プラスチック、金属、木、竹、皮革、乾燥果実殻加工品、繊維加工品、或はこれらの２つまたは２つ以上の複合品であっても良い。更に使用者に合わせてより持ちやすくする為に取っ手、紐、蔓、鎖、突起物を側面に取り付けたりすべり止めの彫刻・窪みを設けても良い。
【図面の簡単な説明】
【０００７】［図１］
本考案に係る横臥時飲用カップの側面図である。
［図２］
本考案に係る横臥時飲用カップの飲み口部分の平面図である。
［図３］
従来のカップの側面図である。
【符号の説明】
【０００８】１  くびれ
２  飲み口
３  うねり凸部のピーク
【図１】
0003113618.tif 000003
【図２】
0003113618.tif 000004
【図３】
0003113618.tif 000005
(57)【要約】【目的】  スポンジゴムがもつ弾性伸縮による快適なるマッサージ。スポンジに含ましたる水分による快適なるマッサージ。菱形凹凸部分の開閉による強弱大小のある複雑微妙なるマッサージ。スポンジ両先端のマッサージ使用可能。以上複合の快適、複雑微妙なマッサージの確保、提供。【構成】  １．直線棒状のスポンジゴム  ２．まるみのある菱形凹凸部分【実用新案登録請求の範囲】
【請求項１】
任意一定の直線棒状形体のスポンジゴムの先端に、丸みある菱形の凹凸形体部分を定着し、その菱形凹凸形体部分と直線棒状体のスポンジゴムを一体としたるもの。
【考案の詳細な説明】
【目的】
【０００１】  耳鼻の穴の皮膚細胞を、清潔に血行を良くし、健全に保つためにスポンジゴムによる、よりよい快適なマッサージの確保提供。
耳鼻の穴の皮膚細胞が持つ、微細なる細胞水と、スポンジゴムに含ました少量の水分による、水の刺激共鳴波動のある、快い快適なマッサージの確保。
弾徃伸縮を持つスポンジゴム直線棒状形体の先端に定着した、まるみのある菱形凹凸形体がマッサージ時の圧力により、その開閉作用を行い、強く弱く強く複雑微妙なるマッサージ効果の確保、提供。
【考案の効果】
【０００２】  スポンジの持つ弾性伸縮の快適性。スポンジゴムに定着したる、まるみのある菱形凹凸形体のマッサージ圧力時の、開閉作用による強く弱く強く、大きく小さく大きい、複雑微妙な多様なマッサージ効果。
スポンジに含ましたる水分による快いマッサージ効果。
このマッサージ小品は、全てがスポンジで構成されています。スポンジ先端部分、直線棒状部分も共にマッサージに使用が可能であり、より人好みのある多様なるマッサージを提供。
以上の複合作用による、快適、多様なる良質なマッサージ効果を、確保提供するものであります。
【図面の簡単な説明】
【０００３】
【図１】  イ．直線棒状形体のスポンジゴムの、先端部分にまるみのある菱形凹凸形体部分を定着したるもの。（平面図）ロ．イのスポンジゴムの裏。（平面図）ハ．イのマッサージ圧力時の短縮したるもの。（平面図）
【図２】  直線棒状形体のスポンジゴムの先端部分にまるみのある菱形凹凸形体部分を定着したるもの。（側面図）
【符号の説明】
符号  １．まるみのある菱形凹凸形体部分
２．直線棒状形体のスポンジゴム
３．スポンジゴム
４．１．に対するマッサージ圧力時の１．の短縮形体
【図１】
0003113614.tif 000002
【図２】
0003113614.tif 000003
(57)【要約】      （修正有）【課題】世界測地系対応に伴い、国土地理院発行１／２５，０００地形図に左側及び下側の緯度経度線不足地域が現れ、１／２５，０００地形図のこの地域から正確な緯度経度値が簡単に読み取れ、又１／２５，０００地形図の緯度経度線不足地域へ既知数値データを簡単にしかも正確にプロット出来る装置を提供する。【解決手段】TanQ＝経度間隔／緯度間隔の式から求めた１角Qを有する直角三角形状の緯度経度メジャー定規にし、この定規の斜辺に直線定規添え、直線定規の渕に添わせてスライドさせ、紙地図の緯度線、又は経度線の一方の交点から不足する他方の数値にも対応できるものであり、１／２５，０００地形図全てに対応できる。【選択図】図２
0003113654.tif 000002
【実用新案登録請求の範囲】
【請求項１】
ＴａｎＱ＝経度間隔／緯度間隔の式から求めた１角Ｑを有する直角三角形状の緯度経メ
ジャー定規。
【考案の詳細な説明】
【技術分野】
【０００１】
本考案は防災、遭難救助、アウトドアスポーツ等の屋外活動における、地図上の詳細
な緯度経度値を読み取り、又ＧＰＳ等の緯度経度数値データを地図上に正確にプロッ
トする装置に関する。
【背景技術】
【０００２】
緯度経度は平成１４年４月１日より世界測地系で統一されたが、国土地理院発行の１
／２５，０００地形図は、日本測地系を基準とした図形描写のままで、緯度経度値だ
けを世界測地系に替えて表示している。
地図外郭コーナーは本来分単位の目盛に成っていたが、世界測地系になった事により、
端数秒表示となった。この地図を使って世界測地系の緯度経度値を扱うには、地図外
郭に表示してある世界測地系１分線を結び、緯度経度詳細値を読み取る定規があった。
たとえば、特許文献１
【０００３】
【特許文献１】登録実用新案第３０５５４６５号
【考案の開示】
【考案が解決しようとする課題】
【０００４】
この定規を使って、秒単位の緯度経度値を読み取るには、地図の若緯度、経度線と
定規目盛との交点までの目盛を読み取る。ところが、地形描写は日本測地系の状態
のままで、緯度経度線だけを世界測地系表示にしたため、地図左側と地図下側に分
線がない測定不可地域（図３ D）ができ、この地域ではこの定規が使えない。
【０００５】
本考案は、その様な問題を解決するものである。
【課題を解決するための手段】
【０００６】
本考案は上記問題を解決するためにＴａｎＱ＝経度間隔／緯度間隔の式から求めた１
角Ｑを有する直角三角形状の緯度経度メジャー定規にする。
【考案の効果】
【０００７】
紙地図の測定不可地域での詳細な緯度経度値が簡単に読み取れると共に、携帯GPS等
からの数値データーを紙地図測定不可地域への正確にプロットが可能となる。
【考案を実施するための最良の形態】
【０００８】
第１図で説明すると、直角三角定規１は、ＡＣ＝緯度１分間隔、ＡＢ＝経度１分間隔と
し、角ＱはＴａｎＱ＝ＡＢ／ＡＣの関係を持つ直角三角定規である。
【０００９】
図２において、直角三角形の目盛は、Ａを基準に定規右辺Ａｃに緯度１分間隔Ｃを１／
６０に等間隔目盛を付し、又定規上辺Ａｂに経度１分間隔Ｂを１／６０に等間隔目盛を
付す。
【００１０】
この時、定規１の斜辺ｂｃとＢＣは平行である。
【００１１】
本考案の緯度経度読み取り定規を測定不可地域で使用する時は、一旦地図上で若緯度線
経度線のある地域で仮に、緯度経度値の端数を読み取り、緯度経度線がない地域へ定規
を平行移動することで、緯度又は、経度一方だけのデータで不足する他方のデータを出
すことが可能となる。
【００１２】
図３において、Ｐ点が測定不可地域にあり、この点の緯度経度値を読み取る場合を図４
で説明する。
【００１３】
定規１の斜辺ｂｃに直線定規２を添わせ、ＡをＰ点に合わせる。この時、定規の縦横
を地図の緯度線、経度線に平行にする。
【００１４】
この時、緯度値は紙地図の緯度線２１分と定規右辺目盛の交点Ｆから３５秒を読み取る
ことができる。したがって、緯度は２１分３５秒となる。
【００１５】
しかし、経度値は、紙地図に経度線がない為、定規上辺目盛交点が無く秒単位を読み取ることが出来ない。
【００１６】
定規１を直線定規２に沿わせたままスライドさせ、紙地図の緯度線２０分線と定規右辺目盛３５秒が重なる位置で固定する。
【００１７】
この状態で定規上辺経度目盛と紙地図の経度線４５分との交点Ｇは２２秒を読み取るこ
とができるので、ＡＧ間は２２秒である。
【００１８】
Ｐ点の詳細経度値は、測定不可地域の経度４４分と４５分との間にあり、その値は４４
分＋２２秒なので、４４分２２秒となる。
【００１９】
これは定規１の斜辺を定規２に合わせ、平行移動したもので、三角形ＡＥＦと平行移動
して出来る三角形ＡＧＨ、は合同三角形である。したがって、ＡＥ＝ＡＧとなる。
【００２０】
GPS等の数値データが、測定不可地域であった場合に地図上の位置を求めるには上記の
逆の使い方となる。
【００２１】
緯度２１分３５秒、経度４４分２２秒を地図へ求める場合は、定規１に秒単位の印を付
けると求めやすい。定規右辺の緯度３５秒に印を付ける。又定規上辺の経度２２秒に印
を付ける。
【００２２】
次に、地図上のP点が予想される地域の直ぐ近く紙地図緯度２０分線に定規１右辺印目
盛３５秒と、紙地図経度４５分線に定規上辺印目盛２２秒を合わせた状態で固定し、直
線定規２を定規１の斜辺に沿わせる。
【００２３】
この状態で定規１を直線定規２にスライドさせ、紙地図緯度２１分線と定規３５秒が重
なり合った位置で定規を固定させる。この時Ａが求める位置である。
【００２４】
尚、本考案の緯度経度読み取り定規は、測定不可地域以外でも使えるものである。
【００２５】
ハンデーＧＰＳやＧＰＳ機能付き携帯電話の普及により、正確な緯度経度値が瞬時に得ら
れるようになったが、現地で必要なのは、そのデジタルデータが地図上何処であるかが
最も大切なものである。この緯度経度読み取り定規を使うことで、地図上の現在地が正
確に分かるので、山で道に迷う事がなくなる。遭難救助や林野火災、等目標物の少ない
地域での位置交信は緯度経度を使うことが最も確実に位置確認が出来る手段であり、本
考案の緯度経度読み取り定規を使えば、従来からの使われている紙地図を１００％活用
できる位置交信手段となり、遭難の防止、災害救助活動や林野火災の素早い対応など、
屋外活動に大いに貢献できる。
【図面の簡単な説明】
【００２６】
【図１】本考案の原理を示す三角形
【図２】本考案の緯度経度読み取り定規
【図３】１／２５，０００地形図で測定不可地域を示す見取り図
【図４】測定不可地域拡の大図を使った操作説明図
【符号の説明】
【００２７】
本考案を示すメジャー定規
直線定規
１／２５，０００地形図
緯度経度０基準で三角形の頂点
経度１分間隔
緯度１分間隔
測定不可地域
経度目盛２２秒を示すページ
緯度目盛３５秒を示す
経度目盛２２秒を示す
緯度目盛３５秒を示す
本考案を示す三角定規の角
本考案を示す三角定規の角
Ｑ．角度
【図１】
0003113654.tif 000003
【図２】
0003113654.tif 000004
【図３】
0003113654.tif 000005
【図４】
0003113654.tif 000006
(57)【要約】      （修正有）【課題】目標物のない地域で、道路地図帳での現在地を知る事は、非常に困難であったが、最近の道路地図帳には、緯度経度線が記載されているものが多くなり、GPS緯度経度値から大まかな地図上の位置を求める事ができるが、正確な位置を出す場合は、地図を読み取る事が出来る熟練する技術が必要であった。そこで、全国版道路地図帳から、誰もが簡単に簡単に、しかも正確に地図上の現在地を求められる装置を提案するものである。【解決手段】透明又は半透明の１枚のシートに複数の異なった緯度経度目盛を記載した緯度経度メジャー定規にすることで、全国版道路地図帳の緯度経度に対応できる。【選択図】図２
0003113658.tif 000002
【実用新案登録請求の範囲】
【請求項１】
透明又は半透明の１枚のシートに複数の異なった緯度経度目盛を記載した緯度経度メジ
ャー定規
【考案の詳細な説明】
【技術分野】
【０００１】
本考案は、緯度経度線入り道路地図帳から正確な位置を簡易に求める装置に関する技術である。
【背景技術】
【０００２】
最近の道路地図帳には緯度経度線が記載され、位置情報を緯度経度で対応できるよう
になり大まかな地図上の位置を求めることが可能となったがしかし、GPS等の緯度経度値を正確に地図にプロットするには、緯度経度間隔をスケールメジャーで測り、比例計算で詳細数値を出して求めるため、緯度経度と地図との関連を熟知した熟練技術者が必要であった。
【０００３】
【特許文献１】登録実用新案第３０５５４６５号地図緯度経度線から位置情報を取得する装置は、緯度経度メジャー定規で１／２５，０００、１／５０，０００の地図で対応できる。
【考案の開示】
【考案が解決しようとする課題】
【０００４】
道路地図帳の内、ＪＡＦ出版社、ゼンリンの縮尺１／２００、０００には５分間隔の緯度経度線が記載されている。北海道北緯４５度地点の経度間隔は５分で６５６９ｍあり、１／２００，０００に換算すると３２．８ｍm、これに対し沖縄県北緯２７度地点の経度間隔５分は８２７０ｍで１／２００，０００に換算すると４１．４mmとなり、同じ５分で、約１７００mの差が出るため、地図帳全体で使うには、地域に限定した１枚の緯度経度メジャー定規では対応できず、地域にあった複数の緯度経度メジャー定規が必要となる。
仮に地域ごとの緯度経度メジャー定規を個別製作すると形状が似ているため、整理が煩雑になることが考えられる。
【課題を解決するための手段】
【０００５】
本考案は、道路地図帳１冊分を地域分けし、各地域に対応できる緯度経度目盛を算出して、これらの目盛を透明又は半透明の１枚のシートに記載することにより新たな、緯度経度メージー定規となる。
【考案の効果】
【０００６】
道路地図帳１冊分の緯度経度メジャーを１枚のシートに纏めたことで、北海道から沖縄県までの１枚のメジャー定規で対応できる。又、道路地図帳は現地確認のため、同じページを何回も開く場合が多く、この時、本考案の定規は長方形の形状となるので見開いたページへ挟む事で、同じページが直ぐ開け、栞としても使え、加えて、空いている辺に縮尺目盛を付けると地図の距離を測るメジャにもなる。
【０００７】
本考案の緯度経度メジャー定規と携帯型GPSを使うことで、道路地図帳上での現在地が簡単にしかも正確に求めることが可能となるので、道迷いに寄るロスタイムが無くなる。又、道路地図帳から詳細な緯度経度値を読み取る事が可能となり、緊急時の位置情報の交信に大いに役立つものである。
【考案を実施するための最良の形態】
【０００８】
第１図で説明する。道路地図帳縮尺１／２００，０００全国版で５分間隔の緯度経度線記載の地図帳を使用地域ごと１から５迄の５つに分る。１は北海道地域、２は東北、新潟地域、３は関東、北陸、中部、関西、中国地域、４は四国、九州、屋久島地域、５は沖縄地域に分け、各５分経度間隔はその地域の平均値を使う。
【０００９】
図２において、メジャー定規右辺に緯度目盛６を記載し、緯度目盛０点８より、直角方向左側に経度目盛７を記載する。なお使用時には、緯度経度の交点８はデータ位置を示すデータポイントとなる。
【００１０】
図３において、透明又は半透明のシートに地域分けしたところの各地域に対応できる緯度経度目盛を算出して階段状に記載する。この時、緯度経度の交点８に小さな穴を開け、データーポイントを地図上にペンで印付ける事が出来るようにした。
【００１１】
図４において、透明又は半透明のシートをL字型にし、両辺に幅の異なる緯度経度目盛を記載した。
【産業上の利用可能性】
【００１２】
道路地図帳は知らない土地の位置情報を取得する便利な地図であるが、現在地が地図上
何処を知るには、地図と現地とが照合できる目標物が必要である。目標物の少ない地区では、現在地を特定出来ないため、目標物を見つけるため余分な労力が伴った。
【００１３】
本考案の緯度経度メジャー定規は、地図帳の位置情報の確認に緯度経度を利用するものであり、目標物のない場所でも、確実に現在地を地図上に表現できる。
【００１４】
本考案の緯度経度メジャー定規は、１冊の道路地図帳の緯度経度による位置情報を１枚の緯度経度メジャー定規にすることで、他のメジャー定規を探す煩わしさから解消され、更に栞の役割をするので、道路地図帳の活用範囲が大幅に改善される。
【図面の簡単な説明】
【００１５】
【図１】地図帳１冊分を５ブロックへ分けた区分部図
【図２】縦長状態にした本考案のメジャー定規
【図３】階段状に緯度経度目盛を記載した本考案のメジャー定規
【図４】L字型形状にした本考案のメジャー定規
【符号の説明】
【００１６】
北海道地域を示す
東北、新潟県地区を示す
関東甲信越、北陸中部、関西中国地域を示す
四国九州、屋久島地域を示す
奄美大島、沖縄県地域を示す
緯度目盛
経度目盛
緯度経度の交点
縮尺目盛
本考案メジャー定規
【図１】
0003113658.tif 000003
【図２】
0003113658.tif 000004
【図３】
0003113658.tif 000005
【図４】
0003113658.tif 000006
(57)【要約】【課題】本考案は書見台本体に横方向伸縮機能を設け、天板の幅を広くすることで、書物をより広く設置する事を可能とし、落下を防止する。【解決手段】  本考案は書見台本体１に並行した適数本の蟻溝２を設け、横方向伸縮機能を蟻溝２に添うスライド自在のアーム３となるようにし、書見台本体１が横方向に延びることにより、書物を広く安全に設置できようになり、書物の落下防止に役立つ。【選択図】      図２
0003113671.tif 000002
【実用新案登録請求の範囲】
【請求項１】
書見台本体表面の上下位置で、且つ横方向に蟻溝を設けた書見台本体と、前記書見台本体両側端面に接離自在にした左右一対の補助板から構成し、この補助板に設けたアームを前記蟻溝にスライド自在に挿入し、前記アームを前記蟻溝にスライドさせることにより補助板を書見台本体の両側端に接離自在にしたことを特徴とする書見台。
【請求項２】
前記アームの裏面に長溝を設け、書見台本体の裏面に設けたストッパーピンをこの長溝に挿入したことを特徴とする実用新案登録請求の範囲請求項１記載の書見台。
【考案の詳細な説明】
【技術分野】
【０００１】
本考案は、天板部分を左右方向に伸縮できるようにした主に三味線の譜面を置くための書見台に関するものである。
【背景技術】
【０００２】
三味線を演奏する際、Ｂ４横使い縦書き、右上から左下へ読み進める数枚から十数枚の製本されていない譜面を置く台として、一般的に横幅３６ｃｍの書見台を使用している。
【考案の開示】
【考案が解決しようとする課題】
【０００３】
従来サイズの書見台では、Ｂ４サイズで独立した十数枚の譜面を用いる三味線演奏の場合、演奏中のページ移動の際、台のスペースに余裕がなく落下してしまう可能性が高い。それが原因となって演奏への集中力低下につながる。従って、本考案は従来の天板に横方向のスペースを左右両方向に広がる機能を設けることにより譜面を広く効率よくす配置することが可能になり、前述の欠点を解決しようとするものである。
【課題を解決するための手段】
【０００４】
本考案は、書見台天板表面の上下位置に蟻溝を設けた書見台本体と、前記書見台本体両側端に接離自在にした左右一対の補助板から構成し、この補助板に設けたアームを前期蟻溝にスライド自在に挿入し、前記アームを前記蟻溝にスライドさせることにより補助板を書見台本体の両側端に接離自在にしたことを特徴とする天板伸縮機能付き書見台である。
【０００５】
書見台天板の伸縮機能は、天板裏側及び、スライドアーム部分裏側にストッパー用ピンを設け伸長時の抜け落ち防止が可能となる。
【考案の効果】
【０００６】
上述のように、本考案の天板伸縮機能付き書見台は譜面や書物のサイズ、用途に応じて伸縮させて使用することができるのは勿論、三味線の演奏では書見台天板のスペースを伸長させて使用することができ、演奏中のページ移動の動作に余裕が生まれ、演奏に集中できるようになり、より素晴らしい演奏の実現に貢献する。
【０００７】
本考案の書見台本体は収縮時には従来品よりもややコンパクトになり、持ち運びにも良くなった。
【考案を実施するための最良の形態】
【０００８】
以下、添付図面に従って一実施例を説明する。１は書見台本体、２は書見台本体１天板表面横方向に並行した上下二本の蟻溝、３は蟻溝２に添って移動する上下に左右一対の伸縮可能なアーム、４はアーム３の先端に取り付けた譜面の載置面となる補助板である。この補助板４はアーム３収縮時、書見台本体１の両側端に接触し、書見台１の横幅は従来品と同等または、それよりやや狭くなる。
【０００９】
補助板４はアーム３伸長時、書見台本体１の両側端から離れることによって、広い天板スペースを確保している。アーム３は書見台本体１の裏側より仕込まれたストッパーピン５と、左右下側のみのアーム３の裏側に設けられ、前記ストッパーピン５が挿入されるストッパーピン用溝５ａによりアーム３の伸長に限度を持たせ、抜け落ち防止となる。
【００１０】
６は書見台本体１の下端に圧着固定された譜面ずれ落ち防止立壁で書見台本体１の反り止め
も兼ねている。６ａは補助板４の下端に圧着固定された、ずれ落ち防止立壁６の延長にある補助ずれ落ち防止立壁。
【００１１】
譜面ずれ落ち防止立壁６の下端両縁部に設けた閂本体７は、補助板４の補助ずれ落ち防止
立壁６ａ下端部分に設けた閂用ピン７ａと連結し、アーム３及びそれに連動する補助板４を収縮した場合に伸長防止の固定に用いる。
【００１２】
８は書見台本体１を支えるための脚である。脚８は二枚の板を合カキによりクロスさせ独立させた
ものである。脚８は書見台本体１の裏面の脚用蟻溝８ａに嵌め込み、畳あるいは床のようなところに座して使用する場面用に程好い高さで、且つ見易くするためにやや手前へ斜めになって書見台１を支える。
【図面の簡単な説明】
【００１３】
【図１】本考案の書見台の天板部分正面図である。
【図２】同正面図のアーム伸張時の図面である。
【図３】同要部拡大Ａ断面図である。
【図４】本考案の書見台の斜視図である。
【符号の説明】
【００１４】
１    書見台本体
２    蟻溝
３    アーム
４    補助板
５    ストッパーピン
５ａ  ストッパーピン用溝
６    ずれ落ち防止立壁
６ａ  補助ずれ落ち防止立壁
７    閂本体
７ａ  閂用ピン
８    脚
８ａ  脚用蟻溝  
【図１】
0003113671.tif 000003
【図２】
0003113671.tif 000004
【図３】
0003113671.tif 000005
【図４】
0003113671.tif 000006
(57)【要約】【課題】  生花、鉢物、花籠などに於けるキャラクターグッズを簡便且つ安定的に取付けられるようにするためのキャラクターピックの提供。【解決手段】  プラスチックス製で肉厚２ｍｍ〜５ｍｍ、長さ寸法を１０ｃｍ〜３５ｃｍ程度となした棒材と、該棒材の上端に対し、平面積を凡そ１ｃｍ２〜６ｃｍ２となした受板を直交する一体形状に成形したものとなす。このさい、受板の中央内面に凹穴を設けたり、棒材の先端を尖らせ、且つ該先端に向かう一定距離範囲に複数の引掛かり肩段が設けたりする。【選択図】      図２
0003113689.tif 000002
【実用新案登録請求の範囲】
【請求項１】
プラスチックス製で肉厚２ｍｍ〜５ｍｍ、長さ寸法を１０ｃｍ〜３５ｃｍ程度となした棒材と、該棒材の上端に対し、平面積を凡そ１ｃｍ２〜６ｃｍ２となした受板を直交する一体形状に成形したものとなしたことを特徴とする生花、鉢物などの装飾用キャラクターピック。
【請求項２】
棒材の先端を尖らせ、且つ該先端に向かう一定距離範囲に複数の引掛かり肩段が設けてあることを特徴とする請求項１記載の生花、鉢物などの装飾用キャラクターピック。
【請求項３】
受板の中央内面に凹穴を設けてあることを特徴とした請求項１又は２記載の生花、鉢物などの装飾用キャラクターピック。
【考案の詳細な説明】
【技術分野】
【０００１】
本考案は生花、鉢物などの装飾用キャラクターピックに関する。
【背景技術】
【０００２】
今日の生活で母の日や父の日或いはお誕生日など暮らしの折々に真心を伝える鉢物や花籠類の贈り物が頻繁に行われるようになっている。図１は斯有る鉢物や花籠などの例を示すものである。
【特許文献１】実用新案登録第３０４４４４１号
【考案の開示】
【考案が解決しようとする課題】
【０００３】
上記に於ける花籠類などには適宜なメッセージやキャラクターグッズが添えられるものとなっているが、メッセージは兎も角としてキャラクターグッズを安定的に、且つ適所に対し格好良く配置することが困難な問題があった。即ち、従来これがためのものとしては専ら針金を使用して取付けることが行われているのであるが、不安定であり且つ金属製のため錆びを生じさせたりする問題がある。本考案は上記問題点を解決せんとするものである。
【課題を解決するための手段】
【０００４】
上記目的を達成するため、本考案はプラスチックス製で肉厚２ｍｍ〜５ｍｍ、長さ寸法を１０ｃｍ〜３５ｃｍ程度となした棒材と、該棒材の上端に対し、平面積を凡そ１ｃｍ２〜６ｃｍ２となした受板を直交する一体形状に成形したキャラクターピックを作成する。而して、該キャラクターピックは棒体の先端を尖らせ、且つ該先端に向け一定距離範囲に複数の引掛かり肩段を形成したり、また受板の中央内面に対し凹穴を設けた構成になしたりする。
【考案の効果】
【０００５】
本考案品はプラスチックス材を使用した成形品のため、灌水に関係なく錆び難くて違和感を生じさせたりすることがない。しかも該棒材は肉厚２ｍｍ〜５ｍｍのため手に持ち易く、且つ上端には平面積を凡そ１ｃｍ２〜６ｃｍ２となした受板を棒材と直交する一体形状に成形したものとなしてあるため、該受板上の一定平面を利用して人形や鳥、獣動物などを安定した状態に取付けて飾ることのできるものとなる。
而して、上記取付けには接着剤や両面接着テープなどが使用されるのであり、このさい受板の中央内面に対し凹穴を穿設したものでは、接着面が弧状となる球面体などの取付けを安定的且つ迅速に行える上で著効がある。
【考案を実施するための最良の形態】
【０００６】
図１は本考案に係る生花、鉢物などの装飾用キャラクターピック１の斜視図である。ここに該キャラクターピック１はプラスチックス材を使用し、肉厚２ｍｍ〜５ｍｍ、長さ寸法を１０ｃｍ〜３５ｃｍ程度の棒材１ａと、その上端に平面積を１ｃｍ２〜６ｃｍ２となした受板１ｂとを一体的に成形したものとなされる。
【０００７】
図示例で受板１ｂは円板状のものを示したが、方形や多角形のものに作成しても良く、且つその肉厚ｔは凡そ１ｍｍ〜２ｍｍ程度のものとなされる。ここに２は上記受板１ｂの中央内部に穿設した直径２ｍｍ〜３ｍｍ程度の凹穴であり、接着剤使用のさいの接着剤が安定的に該凹穴内に付着されることにより、後述するキャラクター品の取付けが適確に行える上で役立つ。又、キャラクター品の取付箇所となる底面が弧状とか球面形状を形成しているようなものでは、その止着が安定的に行えるものとなる上で役立つ。
【０００８】
本考案に於いて棒材１ａの先端は花籠類などの土中などに対し、突き挿し易くするべく図示例の如く先端ｐを尖らせておくと良いのであり、また該キャラクターピックが容易に抜き出たりすることのないよう先端に向かう一定範囲（少なくとも５ｃｍぐらい）に対し、図示例の如き引掛かり肩段３を設けておくようにすると良い。
【０００９】
図２は上記構成のキャラクターピック１に対し、キャラクター４を取付けた状態を示すものであり、該キャラクター４としては適宜鳥獣或いは球体その他のものが任意に使用されるのである。
【００１０】
本考案品の突き挿し棒を形成する棒材１ａは専ら透明なプラスチックス材となすことが周囲の花に対する違和感のないものとなって好適である。このことは受板１ｂについても同様であり、比較的広く形成された平板面上で強固な止着が可能になされるものとなる。なお、本考案品は軽量で取扱い易く、錆びたりすることなく、作業性に優れたものである。
【図面の簡単な説明】
【００１１】
【図１】本考案に係る花籠用キャラクターピックの斜視図である。
【図２】上記キャラクターピックにキャラクターを取付た状態図である。
【図３】使用状態図である。
【符号の説明】
【００１２】
１      キャラクターピック
１ａ    棒材
１ｂ    受板
２      凹穴
３      肩段
４      キャラクター
【図１】
0003113689.tif 000003
【図２】
0003113689.tif 000004
【図３】
0003113689.tif 000005
(57)【要約】      （修正有）【課題】竹等の上に足を乗せ、足踏みをして土踏まず等をマッサージしていたものを、座ってテレビ等を見ながらでも土踏まず等をマッサージ出来るようにし、また手・足や他の部位を簡単にマッサージ出来るようにする。【解決手段】細いメダケ（内径  約１cm、長さ  約８cm）３本の穴それぞれに約３０cmのゴムひもを通し、輪を作りそれぞれの先端をテープ等で止め、これを足や手に装着し各部位を簡単にマッサージ出来るようにした。【選択図】図１
0003113685.tif 000002
【実用新案登録請求の範囲】
【請求項１】
メダケ（女竹）の穴にゴムひもを通し、輪を作り足や手に装着して足や手・その他の部位をマッサージ出来るようにしたマッサージ器。
【考案の詳細な説明】
【技術分野】
【０００１】
本考案は、土踏まず等のマッサージが容易なマッサージ器に関するものである。
【背景技術】
【０００２】
従来の竹等を利用した土踏まずマッサージ器は、左記マッサージ器の上に足を乗せ足踏みをして足をマッサージするものであった。
【特許文献１】実開平６−８０４３５号公報
【特許文献２】特開２００２−３４５９２２号公報
【考案の開示】
【考案が解決しようとする課題】
【０００３】
解決しようとする問題点は、竹等を利用した土踏まずマッサージ器は、竹等が大きい為簡便性に欠ける欠点があった。
【課題を解決するための手段】
【０００４】
本考案は、土踏まずマッサージ器を小さく簡便にする事を最も主要な特徴とする。
【考案の効果】
【０００５】
本考案のメダケを利用した土踏まず等マッサージ器は、内径約１ｃｍ、長さ約8ｃｍのメダケ3本、約30cmのゴムひも3本とゴムひもをとめるテープだけで出来るので、簡便、軽量、多機能に使い分けられるという利点がある。
【考案を実施するための最良の形態】
【０００６】
本考案はテレビを見ながらでも、本マッサージ器を足に装着してメダケをころころ転がして土踏まずマッサージ出来る、また手に装着して手が届く範囲で色んなところがマッサージできる。さらに二人で行えば肩たたき等一人で出来ない部位もマッサージ出来飛躍的に使用範囲が広がる
【図面の簡単な説明】
【０００７】
【図１】メダケを利用した土踏まずマッサージ器。
【図２】土踏まずのマッサージ方法示した説明図である。
【図３】手の甲のマッサージ方法を示した説明図である。
【図４】指先のマッサージ方法を示した説明図である。
【図１】
0003113685.tif 000003
【図２】
0003113685.tif 000004
【図３】
0003113685.tif 000005
【図４】
0003113685.tif 000006